(57)【要約】【課題】コンタクトレンズを高さ方向に押圧変形させた状態で収容したコンタクトレンズパッケージにおけるコンパクト性を損なうことなく、各ユーザー毎のコンタクトレンズの装着手順の相違等によって開封から装着までに要する時間が相違しても良好な装用感やハンドリング性能が安定して発揮され得る、改良された新規な構造のコンタクトレンズパッケージを提供すること。【解決手段】コンタクトレンズ１２が載置されるリテーナプレート１８におけるレンズ載置面４２に開口して、コンタクトレンズパッケージ１０の開封時に保存液２０を貯留する有底の保水用凹部４４を設けた。【選択図】図２
2016179837.tif 000002
【特許請求の範囲】
【請求項１】
表側および裏側のパッケージ外装体の重ね合わせ面間に形成された密閉領域に、保存液と共にコンタクトレンズが高さ方向で押圧変形されて収容されたコンタクトレンズパッケージにおいて、
前記コンタクトレンズよりも変形剛性が大きいリテーナプレートが、開封時に下側とされる前記裏側のパッケージ外装体の内面に配置されており、該リテーナプレートにおける前記表側のパッケージ外装体側の面に前記コンタクトレンズが載置されていると共に、
該リテーナプレートにおける該コンタクトレンズの載置面において開封時に前記保存液を貯留する有底の保水用凹部が形成されていることを特徴とするコンタクトレンズパッケージ。
【請求項２】
前記リテーナプレートには、厚さ方向に貫通する貫通孔が、前記保水用凹部とは別に形成されている請求項１に記載のコンタクトレンズパッケージ。
【請求項３】
前記リテーナプレートが前記裏側のパッケージ外装体の内面に固着されている請求項１又は２に記載のコンタクトレンズパッケージ。
【請求項４】
前記リテーナプレートには、前記保水用凹部が相互に独立状態で複数形成されている請求項１〜３の何れか一項に記載のコンタクトレンズパッケージ。
【請求項５】
前記保水用凹部が、前記コンタクトレンズの外周部分が重ね合わされる前記リテーナプレートの外周領域に形成されている請求項１〜４の何れか一項に記載のコンタクトレンズパッケージ。
【請求項６】
前記コンタクトレンズにおける凹状の内面側が前記リテーナプレートにおける前記載置面に重ね合わされている請求項１〜５の何れか一項に記載のコンタクトレンズパッケージ。
【請求項７】
前記リテーナプレートを外周側に外れた領域で、前記表側および裏側のパッケージ外装体が相互に重ね合わされて固着されることにより前記密閉領域が封止されている請求項１〜６の何れか一項に記載のコンタクトレンズパッケージ。
【請求項８】
前記リテーナプレートの前記載置面において、前記コンタクトレンズが重ね合わされる領域を外周側に外れた部分を周方向に延びる外周突部が形成されている請求項１〜７の何れか一項に記載のコンタクトレンズパッケージ。
【発明の詳細な説明】
【技術分野】
【０００１】
本発明は、コンタクトレンズを保存液と共に収容して市場へ流通させる際に好適に用いられるコンタクトレンズパッケージに係り、特にソフトタイプのコンタクトレンズを高さ方向に押圧変形させた状態でコンパクトに収容したコンタクトレンズパッケージに関するものである。
【背景技術】
【０００２】
コンタクトレンズは、レンズメーカーでの製造後にコンタクトレンズパッケージに密封状態で収容されて市場に流通され、販売店からユーザーに提供される。
【０００３】
ところで、含水性のソフトタイプのコンタクトレンズなどは、一般に、保存液と共にコンタクトレンズパッケージに密封状態で収容して提供される。かかるコンタクトレンズパッケージとしては、従来から、特開平７−３２２９１１号公報（特許文献１）や米国特許第４６９１８２０号公報（特許文献２）に記載されているように、硬質樹脂製の容器本体に形成された窪みに保存液とコンタクトレンズを収容してカバーフィルムで封止したブリスターパッケージが採用されている。
【０００４】
しかしながら、このような従来構造のブリスターパッケージは、コンタクトレンズを膨潤した非変形状態で保存液に浸漬して収容する窪みを充分な容積で形成しなければならなかった。それ故、パッケージのコンパクト化が難しいことに加えて、開封してコンタクトレンズを取り出した後に不要となる多量の保存液の処理にも困るという問題があった。また、多数のコンタクトレンズをストックしたり、複数のコンタクトレンズを持ち歩いたりする際に嵩張ってしまい、取り扱いに不便を感ずることも多かった。
【０００５】
そこで、本出願人は、先に特許第４５８６１２１号公報（特許文献３）において、コンタクトレンズを高さ方向（レンズ光軸方向）に押圧変形させて加圧状態で収容せしめた新規な構造のコンタクトレンズパッケージを提案した。かかるコンタクトレンズパッケージでは、コンタクトレンズを押圧変形させることで小さな収容領域へコンパクトに収容することができると共に、収容領域に充填される保存液も少なく設定することが可能になる。
【０００６】
ところが、このようにコンタクトレンズを高さ方向に押圧変形させた状態で収容したコンタクトレンズパッケージについて、本発明者が更なる実験や検討を加えた結果、各ユーザーのコンタクトレンズの使用状況によっては、装用感や取扱性（ハンドリング性能）が安定して発揮され難くなるおそれのあることが判ったのである。
【先行技術文献】
【特許文献】
【０００７】
【特許文献１】特開平７−３２２９１１号公報
【特許文献２】米国特許第４６９１８２０号公報
【特許文献３】特許第４５８６１２１号公報
【発明の概要】
【発明が解決しようとする課題】
【０００８】
本発明は上述の事情を背景として為されたものであり、その解決課題とするところは、コンタクトレンズを高さ方向に押圧変形させた状態で収容したコンタクトレンズパッケージであって、各ユーザー毎のコンタクトレンズの使用状況に拘わらず、良好な装用感やハンドリング性能が安定して発揮され得る、改良された新規な構造のコンタクトレンズパッケージを提供することにある。
【課題を解決するための手段】
【０００９】
本発明はかかる課題を解決するために為されたものであって、特に、上述の如き装用感やハンドリング性能の低下が、レンズ装用に際しての作業手順がユーザー毎で相違することに起因しており、且つ、コンタクトレンズを高さ方向に押圧変形させた状態で収容したコンタクトレンズパッケージに特有の問題であることを、本発明者が新たに見い出したことに基づいて、本発明を完成するに至ったものである。
【００１０】
本発明の第一の態様は、表側および裏側のパッケージ外装体の重ね合わせ面間に形成された密閉領域に、保存液と共にコンタクトレンズが高さ方向で押圧変形されて収容されたコンタクトレンズパッケージにおいて、前記コンタクトレンズよりも変形剛性が大きいリテーナプレートが、開封時に下側とされる前記裏側のパッケージ外装体の内面に配置されており、該リテーナプレートにおける前記表側のパッケージ外装体側の面に前記コンタクトレンズが載置されていると共に、該リテーナプレートにおける該コンタクトレンズの載置面において開封時に前記保存液を貯留する有底の保水用凹部が形成されていることを、特徴とするものである。
【００１１】
先ず、本発明者が確認したところ、ユーザーがパッケージを開封してからコンタクトレンズを手指で摘んで取り出すまでの作業が、ユーザー毎に大きく相違していることが新たに判った。このことは、コンタクトレンズの装用手順について、レンズパッケージに具体的に特定されていないことや、特定機関により標準的に指導されていないことにもよるが、装用手順がユーザー毎に相違することで、パッケージの開封時点からコンタクトレンズを取り出すまでに要する時間が、ユーザー毎で予想以上に異なっていたのである。
【００１２】
尤も、このようなユーザー毎の装用手順の相違等によるパッケージの開封からレンズ取出しまでに要する時間の相違は、特許文献１，２に記載の如きブリスターパッケージであれば、装用感やハンドリング性能に悪影響をもたらすものではなかった。ところが、コンタクトレンズを高さ方向に押圧変形させた状態で収容したコンタクトレンズパッケージでは、かかるユーザー毎の装用手順の相違等によるパッケージの開封からレンズ取出しまでに要する時間の相違が、特定のユーザーにおいて装用感やハンドリング性能を低下させる大きな原因となっていたことが、本発明者によって新たに知見され得たのである。
【００１３】
すなわち、ブリスターパッケージでは開封後もコンタクトレンズが保存液に浸漬状態とされるから、少なくとも数分間はコンタクトレンズが飽和膨潤状態に維持されるが、一方、コンタクトレンズを高さ方向に押圧変形させた状態で収容したコンタクトレンズパッケージでは、事情が異なる。コンタクトレンズを押圧変形させて収容したコンタクトレンズパッケージでは、そもそも保存液が少ないうえに、開封と同時にレンズ載置面から保存液が逃げ易く、コンタクトレンズが膨らむことで一層乾燥し易いこととなる。それ故、周囲の湿度や温度などの環境にもよるが、パッケージの開封後、コンタクトレンズの膨潤状態が無視できない程度に変化してしまうおそれのあることが、新たに判ったのである。
【００１４】
ここにおいて、本発明に従う構造とされたコンタクトレンズパッケージでは、先ずリテーナプレートで開封後のコンタクトレンズが安定して載置される面が構成されることとなり、且つ、かかる載置面上に開口する保水用凹部を設けて、コンタクトレンズが被さるように載置される面上に保存液を貯留させることで、パッケージ開封後のコンタクトレンズが保存液に対して晒され易くする状態を実現したのである。
【００１５】
このように、コンタクトレンズを押圧変形させて収容したコンタクトレンズパッケージにおいて、保存液の容量を著しく多くすることもなく、またパッケージのコンパクト性も十分に確保しつつ、パッケージ開封後のコンタクトレンズの乾燥の速さや程度を抑えることができ、その結果、ユーザー毎の装用手順の相違に拘わらずに良好な装用感やハンドリング性能がより安定して発揮され得ることとなる。
【００１６】
本発明の第二の態様は、前記第一の態様に係るコンタクトレンズパッケージにおいて、前記リテーナプレートには、厚さ方向に貫通する貫通孔が、前記保水用凹部とは別に形成されているものである。
【００１７】
本態様に従う構造とされたコンタクトレンズパッケージでは、保水用凹部での保存液の貯留作用による上述の如き効果に加えて、例えば製造工程で適宜に利用可能な貫通孔が設けられ得る。
【００１８】
かかる貫通孔は、リテーナプレートの軽量化や強度の調節などに利用できる他、例えば製造工程でリテーナプレートの裏面側から負圧吸引力を及ぼしてコンタクトレンズを吸引保持したり、表側のパッケージ外装体にコンタクトレンズとリテーナプレートを重ね合わせた状態でリテーナプレートの裏面側から保存液を滴下したりすること等も可能になり、製造工程や製造ラインの設計自由度の向上が図られ得る。また、かかる貫通孔は、例えばパッケージの開封時において、保水用凹部に貯留される以上に余剰となる保存液をリテーナプレート上から速やかに排除してリテーナプレート上の保存液量を調節することにより、コンタクトレンズを摘みやすくすることなどにも利用することが可能である。
【００１９】
本発明の第三の態様は、前記第一又は第二の態様に係るコンタクトレンズパッケージにおいて、前記リテーナプレートが前記裏側のパッケージ外装体の内面に固着されているものである。
【００２０】
本態様に従う構造とされたコンタクトレンズパッケージでは、パッケージの開封前や開封後にリテーナプレートが位置ずれすることを防止できる。それ故、製造時においてリテーナプレート上にコンタクトレンズを精度良くセットできると共に、使用時においてユーザーがリテーナプレート上のコンタクトレンズを一層容易に摘まみ取ることも可能になる。
【００２１】
本発明の第四の態様は、前記第一〜三の何れかの態様に係るコンタクトレンズパッケージにおいて、前記リテーナプレートには、前記保水用凹部が相互に独立状態で複数形成されているものである。
【００２２】
本態様に従う構造とされたコンタクトレンズパッケージでは、リテーナプレートの載置面における保水用凹部の位置や数を適宜に調節することが可能である。それによって、例えばリテーナプレート上への保水液の貯留量を適切に設定することができるだけでなく、保存液をリテーナプレート上で分散的に貯留したり、限られた保存液量をコンタクトレンズの保水に好適な場所へ優先的に貯留したりすることも可能になる。
【００２３】
本発明の第五の態様は、前記第一〜四の何れかの態様に係るコンタクトレンズパッケージにおいて、前記保水用凹部が、前記コンタクトレンズの外周部分が重ね合わされる前記リテーナプレートの外周領域に形成されているものである。
【００２４】
本態様に従う構造とされたコンタクトレンズパッケージでは、周上の距離や面積が大きく確保され得るレンズ外周部分に対して保水用凹部に貯留された保存液による保水効果が及ぼされることで、パッケージ開封後のコンタクトレンズ乾燥抑制効果がより効果的に発揮され得る。なお、本態様の保水用凹部は、周方向で連続して延びる環状溝の形態で形成されても良いし、周上で分断された複数の溝や、周上に点在する複数の凹所などの適宜の形態で形成され得る。
【００２５】
本発明の第六の態様は、前記第一〜五の何れかの態様に係るコンタクトレンズパッケージにおいて、前記コンタクトレンズにおける凹状の内面側が前記リテーナプレートにおける前記載置面に重ね合わされているものである。
【００２６】
本態様に従う構造とされたコンタクトレンズパッケージでは、パッケージ開封時にコンタクトレンズにおける凸状の外面側がリテーナプレートから上方に向かって突出するように復元する。それ故、レンズ外面側を手指で摘み取り易く、また、レンズを持ち替えないでそのまま角膜上にレンズを重ねることでレンズ内面に触れることなく装用することも可能になる。
【００２７】
しかも、パッケージ開封後にリテーナプレート上でレンズが復元しても、レンズ外周縁部がリテーナプレート上に接した状態に保たれることで、レンズ中央部分も表面張力の作用で保存液に接した状態に保たれ易い。また、たとえレンズ中央部分がリテーナプレートから離れて上方に復元しても、レンズ外周縁部がリテーナプレートに接したドーム状となって内面からの水分拡散が効果的に抑えられ得る。
【００２８】
特に本態様を前記第五の態様と組み合わせて採用することで、パッケージ開封後にリテーナプレートに接する状態に保たれるレンズ外周縁部に対して、リテーナプレートの保水用凹部で貯留された保存液が一層効率的に作用し、コンタクトレンズの乾燥が抑えられ得る。
【００２９】
本発明の第七の態様は、前記第一〜六の何れかの態様に係るコンタクトレンズパッケージにおいて、前記リテーナプレートを外周側に外れた領域で、前記表側および裏側のパッケージ外装体が相互に重ね合わされて固着されることにより前記密閉領域が封止されているものである。
【００３０】
本態様に従う構造とされたコンタクトレンズパッケージでは、リテーナプレートを挟んで表裏のパッケージ外装体を封止する場合に比して、リテーナプレートを小型化できると共に、密閉領域の封止加工に際してのリテーナプレートの変形等も防止されて、製品の品質向上も図られ得る。
【００３１】
本発明の第八の態様は、前記第一〜七の何れかの態様に係るコンタクトレンズパッケージであって、前記リテーナプレートの前記載置面において、前記コンタクトレンズが重ね合わされる領域を外周側に外れた部分を周方向に延びる外周突部が形成されているものである。
【００３２】
本態様に従う構造とされたコンタクトレンズパッケージでは、リテーナプレートの外周に設けられた外周突部により、パッケージ開封後にリテーナプレート上に存在する保存液がリテーナプレートの載置面から外周へ流れ落ちて過剰に流失してしまうことを防止することができる。それ故、リテーナプレート上に保存液をより効果的に貯留することが可能となり、パッケージ開封後のコンタクトレンズの含水率維持が一層有利に図られ得る。
【発明の効果】
【００３３】
コンタクトレンズを押圧変形させて収容したコンタクトレンズパッケージでは、そもそも保存液が少ないうえに、開封と同時にレンズ載置面から保存液が逃げ易く、コンタクトレンズが膨らむことで一層乾燥し易いこととなる。それ故、周囲の湿度や温度などの環境にもよるが、パッケージの開封後、コンタクトレンズの膨潤状態が無視できない程度に変化してしまうおそれのあることが、新たに判ったのである。
【００３４】
ここにおいて、本発明に従う構造とされたコンタクトレンズパッケージでは、コンタクトレンズを押圧変形させて収容したコンタクトレンズパッケージにおけるコンパクト性や収容保存液の少量化等の利点を損なうことなく、開封後のコンタクトレンズの乾燥を抑えることができる。それ故、ユーザー毎の装用手順の相違等に拘わらず、良好な装用感やハンドリング性能がより安定して発揮され得る状態で、コンタクトレンズを各ユーザーに提供することが可能になるのである。
【図面の簡単な説明】
【００３５】
【図１】本発明の第一の実施形態としてのコンタクトレンズパッケージの開封状態を示す説明図。
【図２】図１に示されたコンタクトレンズパッケージの縦断説明図であって、（ａ）は未開封の封止状態を示し、（ｂ）は開封状態を示す。
【図３】図２に示されたコンタクトレンズパッケージを構成するリテーナプレートの説明図であって、（ａ）は平面図、（ｂ）は（ａ）中のＩＩＩ（ｂ）−ＩＩＩ（ｂ）断面図。
【図４】図２に示されたコンタクトレンズパッケージにおいて採用され得るリテーナプレートの別態様を示す、図３の（ａ），（ｂ）に対応する説明図。
【図５】図２に示されたコンタクトレンズパッケージにおいて採用され得るリテーナプレートの更に別態様を示す、図３の（ａ），（ｂ）に対応する説明図。
【図６】図２に示されたコンタクトレンズパッケージにおいて採用され得るリテーナプレートの更に別態様を示す説明図であって、（ａ）は平面図、（ｂ）及び（ｃ）は（ａ）のＶＩ−ＶＩ断面において採用可能な各別態様の断面形状を示す説明図。
【図７】図２に示されたコンタクトレンズパッケージにおいて採用され得るリテーナプレートの更に別態様を示す説明図であって、（ａ）は平面図、（ｂ）及び（ｃ）は（ａ）のＶＩＩ−ＶＩＩ断面において採用可能な各別態様の断面形状を示す説明図。
【図８】図２に示されたコンタクトレンズパッケージにおいて採用され得るリテーナプレートの更に別態様を示す説明図であって、（ａ）は平面図、（ｂ）及び（ｃ）は（ａ）のＶＩＩＩ−ＶＩＩＩ断面において採用可能な各別態様の断面形状を示す説明図。
【図９】図２に示されたコンタクトレンズパッケージにおいて採用され得るリテーナプレートの更に別態様を示す説明図であって、（ａ）は平面図、（ｂ）及び（ｃ）は（ａ）のＩＸ−ＩＸ断面において採用可能な各別態様の断面形状を示す説明図。
【図１０】図２に示されたコンタクトレンズパッケージにおいて採用され得るリテーナプレートの更に別態様を示す、図３の（ａ），（ｂ）に対応する説明図。
【図１１】図２に示されたコンタクトレンズパッケージにおいて採用され得るリテーナプレートの更に別態様を示す説明図であって、（ａ）は平面図、（ｂ），（ｃ）及び（ｄ）は（ａ）のＸＩ−ＸＩ断面において採用可能な各別態様の断面形状を示す説明図。
【図１２】図２に示されたコンタクトレンズパッケージにおいて採用され得るリテーナプレートの更に別態様を示す説明図であって、（ａ）は平面図、（ｂ），（ｃ）及び（ｄ）は（ａ）のＸＩＩ−ＸＩＩ断面において採用可能な各別態様の断面形状を示す説明図。
【図１３】図２に示されたコンタクトレンズパッケージにおいて採用され得るリテーナプレートの更に別態様を示す、図３の（ａ），（ｂ）に対応する説明図。
【図１４】図２に示されたコンタクトレンズパッケージにおいて採用され得るリテーナプレートの更に別態様を示す、図３の（ａ），（ｂ）に対応する説明図。
【図１５】本発明に従う構造とされたリテーナプレートの技術的効果を確認するために実施した第一の実験の結果を示すグラフ。
【図１６】本発明に従う構造とされたリテーナプレートの技術的効果を確認するために実施した第二の実験の結果を示すグラフ。
【発明を実施するための形態】
【００３６】
以下、本発明を更に具体的に明らかにするために、コンタクトレンズパッケージに関する本発明の実施形態について、図面を参照しつつ詳細に説明する。
【００３７】
先ず、図１〜２には、本発明の一実施形態としてのコンタクトレンズパッケージ１０が示されている。なお、図１及び図２（ｂ）は開封状態を示すものであり、図示を判りやすくする目的で、コンタクトレンズ１２を略原形に復した状態で示している。このコンタクトレンズパッケージ１０は、袋状のパッケージ外装体１４を有しており、パッケージ外装体１４内には外部空間から遮断された密閉領域１６が画成されている。また、密閉領域１６にはリテーナプレート１８が収容されており、コンタクトレンズ１２が、リテーナプレート１８の表面（図２中の上面）に重ね合わされて、密閉領域１６に充填された保存液２０で膨潤状態に保たれている。
【００３８】
より詳細には、パッケージ外装体１４は、それぞれ変形容易な表側の外装シート２２と裏側の外装シート２４から構成されている。これら表裏一対の外装シート２２，２４は互いに重ね合わされており、それらの重ね合わせ面を連続した周上で溶着等して封止部２６を設けることで、略中央部分の重ね合わせ面間に位置して外部空間から遮断された密閉領域１６が形成されている。
【００３９】
なお、本実施形態の封止部２６は、略矩形薄膜形状とされたパッケージ外装体１４の長手方向一方の側に偏倚しており、長手方向他方の側には、非接着の表裏の外装シート２２，２４において手指で摘んで入力しやすい開封操作部が設けられている。また、かかる封止部２６は、開封操作部側へ向かって嘴状に延びた形状とされており、嘴状の先端部から表裏の外装シート２２，２４が引き剥されることで、開封初期の引き剥がし抵抗力が小さくされて容易に開封できるようになっている。
【００４０】
また、パッケージ外装体１４を構成する表裏の外装シート２２，２４には、硬質の樹脂フィルムやアルミニウム合金等の金属シート等を用いることも可能であるが、好適には薄肉で可撓性を有する軟質樹脂フィルムやアルミニウム層にポリプロピレン等の樹脂層を被着したラミネートフィルムなどが採用され得る。例えば、アルミニウム層の表面に保護及び装飾用のＰＥＴ樹脂層を積層すると共に、アルミニウム層の裏面に熱溶着用のＣＰＰ樹脂層を積層したラミネートフィルムなどが好適に採用され得る。
【００４１】
特に、表裏の外装シート２２，２４には、外力に抗してパッケージ外装体を一定形状に保つための強度が要求されることもなく、取扱いや製造、開封等が容易な軟質のフィルム材料が好適に採用されることとなる。なお、表側の外装シート２２と裏側の外装シート２４を異なる形状や異なる材質とすることも可能であり、例えば裏側の外装シート２４として、開封時に及ぼされる程度の外力では変形し難い程度の強度がある硬質樹脂シート等を用いることも可能である。
【００４２】
また、表裏の外装シート２２，２４は、全体又は部分的に透明であっても良い。少なくとも一部が無色又は有色の透明とされた外装シート２２，２４を採用することで、コンタクトレンズ１２の収容状態などをパッケージの未開封状態下で目視で確認可能とすることも出来る。
【００４３】
更にまた、一枚の連続シートを略中央部分で折り返して重ね合わせることにより、表裏の外装シート２２，２４を一体的に構成することも可能である。
【００４４】
このように表裏の外装シート２２，２４は協働してパッケージ外装体１４を構成するが、両シート２２，２４が互いに重ね合わされて封止部２６で溶着等されることで袋構造とされる前に、両シート２２，２４の重ね合わせ面間において封止部２６で囲まれた領域内に、リテーナプレート１８とコンタクトレンズ１２が重ね合わされて配置され、適量の保存液２０と共に、密閉領域１６内に収容されている。
【００４５】
かかるリテーナプレート１８は、全体として薄板の略平板形状とされている。本実施形態では、略円板形状とされており、周りを囲んで設けられる封止部２６の内周端縁より僅かに小さく、封止部２６に対して周上の複数箇所で近接する大きさの外周端縁を有するリテーナプレート１８が採用されている。また、本実施形態のリテーナプレート１８は、その下面において重ね合わされる裏側の外装シート２４に対して、複数箇所で溶着等により固着されて位置決めされている。
【００４６】
リテーナプレート１８の外周縁部には、厚肉とされて周方向の全周に亘って連続して略一定断面形状で延びる外周厚肉部２８が設けられている。外周厚肉部２８で囲まれた内周部分は外周厚肉部２８よりも薄肉とされており、且つ、厚さ方向の表裏両側において外周厚肉部２８の先端部よりも外方には実質的に突出しない形状とされている。
【００４７】
また、外周厚肉部２８の内周側に隣接する位置には、表側外周溝３０と裏側外周溝３２が形成されており、表側外周溝３０よりも裏側外周溝３２が僅かに内周側に位置している。そして、これら表側外周溝３０と裏側外周溝３２の底部間において、外周厚肉部２８の内周側を波形断面で全周に亘って延びる湾曲縁部３８が形成されている。更に、かかる湾曲縁部３８で囲まれた内周側に、略円板形状のレンズ載置部４０が形成されている。
【００４８】
本実施形態では、リテーナプレート１８の外周部分に形成された上記外周厚肉部２８と湾曲縁部３８によって、リテーナプレート１８の形状保持力や剛性、弾性力が適切に設定されている。また、表側外周溝３０と裏側外周溝３２によって、コンタクトレンズ１２の収容領域を外周側に外れた領域でも、保存液２０を収容して封入液量の確保や調節を図ることが可能とされている。
【００４９】
さらに、リテーナプレート１８の中央部分に形成されたレンズ載置部４０は、外周厚肉部２８の厚さの範囲内で中央に向かって次第に浅底となる逆向きの略皿形状乃至は低い略ドーム形状とされている。特に本実施形態では、レンズ載置部４０の肉厚寸法が外周部分から中央に向かって次第に薄肉とされて、剛性や強度、弾性が前面に亘って調節されていると共に、レンズ載置部４０の表裏両側における保存液２０の封入液量の確保や調節が図られている。
【００５０】
そして、レンズ載置部４０の表面によって、コンタクトレンズ１２を載置状態で保持せしめるレンズ載置面４２が構成されている。また、レンズ載置面４２の外周部分には、周方向の全周に亘って連続して延びる環状溝の形態をもって保水用凹部４４が形成されている。保水用凹部４４の最深部の底面は、レンズ載置面４２の中で最も低い位置に設定されている。
【００５１】
図２に示されているように、本実施形態では、かかるレンズ載置面４２に対して、コンタクトレンズ１２が、凹状の内面４６側で重ね合わされるようにして載置されている。かかる載置状態で、コンタクトレンズ１２のエッジ部が保水用凹部４４の略最深部に位置するように、コンタクトレンズ１２の外径（ＤＩＡ）に応じて保水用凹部４４の径寸法が設定されている。これにより、レンズ載置面４２に載置されたコンタクトレンズ１２を外周側に外れて近接位置する部分には、リテーナプレート１８の裏側外周溝３２の底部によって形成された環状の外周突部４８が設けられている。保水用凹部４４の外周壁も構成する外周突部４８の存在により、レンズ載置面４２に載置されたコンタクトレンズ１２がレンズ載置面４２の略中央に位置決め保持されて不用意な位置ずれが防止されるようになっている。
【００５２】
また、本実施形態では、図３に示されているように、リテーナプレート１８におけるレンズ載置部４０の中心に位置して比較的大径の中央貫通孔５０が形成されている。更にまた、レンズ載置部４０の径方向中間部分には、小径の周辺貫通孔５２が周上で略均等に分散位置して複数形成されている。これら中央貫通孔５０と周辺貫通孔５２は、レンズ載置部４０の外周部分に形成された保水用凹部４４とは別に、レンズ載置部４０を厚さ方向に貫通して形成されている。即ち、保水用凹部４４の実質的な底部には、中央貫通孔５０や周辺貫通孔５２が形成されておらず、中央貫通孔５０や周辺貫通孔５２の上側開口が保水用凹部４４の少なくとも最深部の底面よりも高い位置に設けられることで、保水用凹部４４において保存液の所定量の貯留が確保されている。
【００５３】
ところで、上述の如き構造とされたリテーナプレート１８の材質は、特に限定されるものでなく、製作性やコスト、安定性や強度等を考慮して、ポリエチレン、ポリ塩化ビニル、ポリプロピレン、ポリアミド等の合成樹脂材料が好適に採用され得る。特に、コンタクトレンズパッケージ１０の全体サイズをコンパクトにするために、リテーナプレート１８は、例えば０．２〜３．０ｍｍ程度の厚さ寸法を有することが望ましいが、材質や要求される強度等に応じて適宜の厚さ寸法が設定され得る。
【００５４】
また、リテーナプレート１８には、コンタクトレンズパッケージ１０の携帯に際して予想される外力に抗し、収容されたコンタクトレンズ１２を略安定形状に保持し得ると共に、コンタクトレンズパッケージ１０の開封操作や開封後のコンタクトレンズ１２の保持状態およびハンドリング操作などを容易に行うことができるように、ある程度の剛性や強度が設定される。具体的には、リテーナプレート１８に対してコンタクトレンズ１２よりも大きな変形剛性が設定されることとなり、好適には表側外装シート２２よりも変形剛性が大きく設定され、より好適には表裏の両外装シート２２，２４よりも変形剛性が大きく設定される。
【００５５】
このような構造とされたリテーナプレート１８は、そのレンズ載置面４２に対して膨潤状態のコンタクトレンズ１２が重ね合わされた状態で表裏の外装シート２２，２４間に位置せしめられ、リテーナプレート１８の外周を取り囲む封止部２６で表裏外装シート２２，２４が固着されることにより、密閉領域１６内に所定量の保存液２０と共に収容されることとなる。
【００５６】
なお、パッケージ内に封入される保存液２０は、従来から公知のとおり収容するコンタクトレンズ１２の材質等に応じて、適宜に選定され得る。更にまた、パッケージ外装体１４を封止した後、必要に応じて紫外線や電磁波、加熱等による殺菌処理が施され得る。
【００５７】
そして、上述の如きパッケージ外装体１４におけるコンタクトレンズ１２の収容状態では、図２（ａ）に示されているように、表裏の外装シート２２，２４が、リテーナプレート１８の両面に重ね合わされてそれぞれ所定の張力を与えられた展張状態で、密閉領域１６に被せられている。これにより、リテーナプレート１８のレンズ載置面４２に対して平置き状態で載置されたコンタクトレンズ１２に対して、リテーナプレート１８と表側の外装シート２２との間で、レンズ光軸方向（高さ方向）への押圧力が及ぼされる。その結果、コンタクトレンズ１２が、高さ方向で押しつぶされて高さ寸法が小さくされた押圧変形状態でコンタクトレンズパッケージ１０内に収容されている。
【００５８】
なお、レンズ載置面４２におけるコンタクトレンズ１２の平置き状態とは、コンタクトレンズ１２の光軸がレンズ載置面４２に略直交する載置状態を言う。かくの如く、コンタクトレンズ１２が高さ方向に押圧変形された圧縮状態で収容されていることから、コンタクトレンズを非圧縮の浮遊状態（平衡状態）で浸漬保存せしめた従来構造のブリスターパッケージに比して、パッケージサイズを大幅に小さくできる。しかも、コンタクトレンズ１２は、剛性が大きいリテーナプレート１８上に載置されて保持されていることから、パッケージ外装体１４の外部から及ぼされる外力などに対してコンタクトレンズ１２が効果的に保護された状態で保存され得ることとなる。
【００５９】
ところで、リテーナプレート１８やコンタクトレンズ１２、保存液２０を収容せしめて密閉領域１６を封止する具体的な製造工程は何等限定されるものでない。
【００６０】
例えば表裏の外装シート２２，２４を重ね合わせて封止部２６の３辺を溶着することで全体として一方向に開口する袋状体とし、かかる袋状体の内部にコンタクトレンズ１２を載置したリテーナプレート１８を収容配置すると共に、上方から所定量の保存液を注入した後に、封止部２６の残り１辺を溶着して密閉領域１６を画成することも可能である。
【００６１】
また、例えば水平状態で支持せしめた表裏の外装シート２２，２４の一方に対して、リテーナプレート１８とコンタクトレンズ１２を重ね合わせてセットし、かかる表裏の外装シート２２，２４の一方におけるリテーナプレート１８の載置領域の全体を僅かに窪ませてから上方より所定量の保存液２０を滴下せしめた後、表裏の外装シート２２，２４の他方を被せて重ね合わせ、封止部２６で溶着することにより密閉領域１６を画成するようにしても良い。
【００６２】
更にまた、表裏の外装シート２２，２４の一方に対して、重ね合わせたリテーナプレート１８を予めスポット的に溶着等で固着して位置決めすることも可能であり、それによって、例えば他工程への搬送やコンタクトレンズ１２のセット、保存液２０の注入などに際してのリテーナプレート１８の位置ずれを防止することも可能になる。
【００６３】
そのような各種の製造工程において、本実施形態のリテーナプレート１８では、貫通孔５０，５２が形成されていることから、例えばリテーナプレート１８の一方の側へだけ保存液２０を供給する場合でも、貫通孔５０，５２を通じて、リテーナプレート１８の他方の側へも保存液を行きわたらせることができる。また、例えばリテーナプレート１８のレンズ載置面４２にコンタクトレンズ１２を重ね合わせた状態で次工程場所へ搬送等する場合など、リテーナプレート１８を裏面側から負圧で吸着保持するに際して、貫通孔５０，５２を通じて、リテーナプレート１８の表面側に載置されたコンタクトレンズ１２にまで負圧を及ぼして併せて吸着保持せしめることも可能となる。
【００６４】
また、上述の如き構造とされたコンタクトレンズパッケージ１０は、ユーザーによるコンタクトレンズ１２の使用に際して、表裏の外装シート２２，２４を開封操作部においてそれぞれ手指で摘んで引き離すことで、図２（ｂ）に示されているように開封される。かかる開封で、表側の外装シート２２でコンタクトレンズ１２へ及ぼされていた押圧力が解除されることにより、コンタクトレンズ１２は、押しつぶされて変形された状態から、その弾性に基づいて球冠形状の原形に復すように変形することとなる。なお、図２（ｂ）には、判りやすいように球冠状の略原形に近い形状まで復元したコンタクトレンズ１２が示されているが、保存液の表面張力等の作用もあって開封時にコンタクトレンズ１２の変形状態が残存しやすいことは理解されるところである。
【００６５】
ここにおいて、コンタクトレンズパッケージ１０の開封に伴って、密閉領域１６に収容されていた保存液２０は、リテーナプレート１８の貫通孔５０，５２を通過して下方に流下したり、リテーナプレート１８の外周厚肉部２８を乗り越えたりして、レンズ載置面４２から流失することもある。しかし、リテーナプレート１８には、レンズ載置面４２の外周部分に、貫通孔５０，５２が開口していない保水用凹部４４が形成されていることから、開封後にも、かかる保水用凹部４４には保存液２０が貯留されることで、レンズ載置面４２上に所定量が残存され得る。
【００６６】
それ故、開封後にも、コンタクトレンズ１２が保存液２０に直接に又は近接して間接的に晒される状態が維持されることとなり、コンタクトレンズ１２の急激な乾燥が抑えられ得る。特に本実施形態では、コンタクトレンズ１２が凹状の内面４６をレンズ載置面４２に向けた平置状態で載置されていることから、開封後にコンタクトレンズ１２が原形に復する方向へ所定量だけ変形した場合でも、コンタクトレンズ１２のエッジ部が保水用凹部４４に入り込んで接した状態に維持されやすく、保水用凹部４４内で保存液２０との直接の接触状態に保たれる。また、コンタクトレンズ１２の中央部分は、レンズ載置面４２上で原形に復する方向へ膨らんだ場合でも、下方の開口をリテーナプレート１８で閉じた状態となって外気への直接の開放が回避されることから、水分の蒸発量がより効果的に抑えられ得る。
【００６７】
このようにして、開封後にコンタクトレンズ１２の保存液２０への接触が維持されることにより、開封から手指で摘んで角膜上に装着するまでの時間が、ユーザー毎の個人差で異なった場合でも、コンタクトレンズ１２の装用感やハンドリング性能が良好に維持され得るのである。
【００６８】
すなわち、本発明者が調査したところ、パッケージを開封したあと直ちにコンタクトレンズを摘んで装着するユーザーは略半数に止まることが明らかになった。具体的には、１０代，２０代，３０代の男女各１００名（合計６００名）のソフトコンタクトレンズユーザーを調査したところ、片方ずつ開封して装着する者と両方まとめて開封してから装着する者は略半数ずつであり、少なくとも両方まとめて開封する略半数のユーザーについては、開封したあと直ちにコンタクトレンズを摘んで装着するとはいえない状況が明らかになった。また、パッケージ開封後に３分以上を経過してからレンズを摘んで装着するユーザーも、数％が存在している事実が明らかになった。
【００６９】
一方、含水性のソフトコンタクトレンズは、含水率によって形状が変化し易く、形状変化に伴って、角膜に重ね合わされる後面アール形状や光学特性なども変化することから、装用直後の見え方を含む装用感に違和感を覚えやすくなる。また、含水率によってレンズの物性も変化することから、例えば局所的に含水率が異なることに伴う内部応力の発生も関係して、亀裂などの損傷が発生しやすくなるおそれもあるし、レンズが手指から脱落しやすくなったり手指から角膜へのレンズの受け渡しが難しくなるなどしてハンドリング性が低下するおそれもある。
【００７０】
特に少ない保存液と共にコンタクトレンズを押圧変形状態で収容するコンタクトレンズパッケージでは、開封後にも保存液への浸漬状態にレンズが維持されるブリスターパッケージに比して、開封と同時にコンタクトレンズの保存液への浸漬状態がなくなることから、開封後の数分の経過では勿論、たとえ僅かな時間の経過でも、装用感やハンドリング性の低下が発生するおそれがある。
【００７１】
このような状況下、上述の如き構造とされたコンタクトレンズパッケージ１０では、開封後にもコンタクトレンズ１２の保存液２０への接触が効果的に維持されて、コンタクトレンズ１２の急激な乾燥が抑えられることから、コンタクトレンズ１２を押圧変形状態で少ない保存液２０と共に収納したコンパクト性の利点を維持しつつ、コンタクトレンズ１２の良好な装用感やハンドリング性能を、ユーザー毎の開封から装用までの取り扱いの手順などの相違などに拘わらず安定して得ることが可能になるのである。
【００７２】
また、本実施形態では、コンタクトレンズ１２のエッジ部が全周に亘って保水用凹部４４内で保存液２０へ接触状態に維持されることから、コンタクトレンズ１２の局所的な乾燥が回避されることとなり、局所的な乾燥に伴ういびつな変形や亀裂の発生が一層効果的に防止され得る。
【００７３】
更にまた、本実施形態のレンズ載置面４２は、周辺部から中央に向かって次第に高くなる傾斜形状とされていることから、載置されたコンタクトレンズ１２を手の指先で一層摘みやすくされている。これにより、コンタクトレンズ１２をレンズ載置面４２から摘まみ取るに際してのハンドリング性能の向上やレンズ損傷の防止がより有効に達成され得るのである。
【００７４】
ところで、図１〜３の実施形態では、リテーナプレート１８のレンズ載置面４２において、外周部分を全周に亘って連続して延びる環状溝の如き保水用凹部４４を例示したが、本発明において採用される保水用凹部はそのような形態に限定されない。底部に貫通孔が開口形成されないで保存液２０を貯留し得る各種態様の保水用凹部が、コンタクトレンズ１２の材質や、要求される保水性能などに応じて、適切な大きさや位置、数などをもって任意に採用され得る。また、リテーナプレート１８における貫通孔５０，５２は必須のものでないが、それを設ける場合には、前記実施形態に限定されることなく、例えば採用される製造ラインの設備や工程などを考慮して、適切な大きさや位置、数などをもって適宜に形成され得る。
【００７５】
以下、保水用凹部４４や貫通孔５０，５２を有するリテーナプレート１８の別態様の幾つかを、図４〜１４を参照しつつ、例示するが、これらの例示態様や前記実施形態の記載によっても、本発明に採用される保水用凹部等は限定されるものでない。なお、図４〜１４では、理解を容易とするために、前記実施形態に対応する各部位に同一の符号を付しておく。
【００７６】
先ず、前記実施形態の図３に示されているようにレンズ載置面４２の外周部分を周方向に延びる環状形態で保水用凹部４４を設ける他、例えば図４に示されているように、レンズ載置面４２を径方向に延びる形態で保水用凹部４４を設けても良い。また、かかる径方向に延びる保水用凹部４４を、周方向に所定間隔で複数本（図４では４本）設ける場合には、例えば図５に示されているように、周方向で隣り合う保水用凹部４４，４４間において、円形等の適宜の形状で独立した保水用凹部４４を追加的に設けても良い。なお、図４，５では、保水用凹部４４が全周に亘って連続していないことから、保水用凹部４４が形成されていない領域では、周辺貫通孔５２が、レンズ載置面４２の外周縁近くにまで形成されている。尤も、これら周辺貫通孔５２は、各保水用凹部４４とは異なる位置に設けられて保水用凹部４４における保存液の貯留性能が確保されている。
【００７７】
また、前記実施形態の図３に示されているようにレンズ載置面４２の外周部分を周方向に延びる環状形態で保水用凹部４４を設ける場合でも、保水用凹部４４の断面形状を任意に設定することが可能である。例えば図６（ａ），（ｂ）に示されているように、略矩形の断面形状で周方向に延びる保水用凹部４４や、図６（ｃ）（平面は図６（ａ）と同様）に示されているように、略三角形の断面形状で周方向に延びる保水用凹部４４も適宜に採用可能である。
【００７８】
更にまた、レンズ載置面４２の外周部分に保水用凹部を設けるに際しても、周上で分断された不連続の態様で複数の保水用凹部を設けても良い。例えば図７に示されているように、レンズ載置面４２の外周部分を周方向に所定長さで円弧状に延びる溝形態の保水用凹部４４を、周上で所定距離を隔てて配することも可能であり、図８に示されているように、レンズ載置面４２の外周部分を延びる円上で所定間隔を隔てて位置して、円形等の適宜の形状で複数の保水用凹部４４を形成することも可能であるし、また、図９に示されているように、図７の円弧溝状の保水用凹部４４と図８の独立凹所状の保水用凹部４４とを組み合わせて採用することも可能である。なお、図７〜９の（ｂ），（ｃ）は、何れも、保水用凹部４４として採用可能な断面形状の別態様を格別に例示するものである。
【００７９】
さらに、図１０に示されているように、上記図７に示された円弧溝状の保水用凹部４４は、前記図４に示された径方向溝状の保水用凹部４４などと組み合わせて採用することも可能である。
【００８０】
また、図１１〜１２に示されているように、レンズ載置面４２において部分的に高い領域を形成して、そこに周辺貫通孔５２を開口形成することで、相対的に低い底面をもって形成される保水用凹部４４における保存液２０の貯留性能が一層安定して発揮されるようにすることも可能である。即ち、図１１，１２では、レンズ載置面４２の径方向中間部分を周方向に延びる領域が、レンズ載置面４２の高さを上げた高底部５４とされており、この高底部５４に位置して周辺貫通孔５２が形成されている。なお、保水用凹部４４は、かかる高底部５４を外れた領域に形成されており、図１１では、レンズ載置面４２の外周部分において前記図６と同様な円環状の保水用凹部４４が形成されていると共に、図１２では、レンズ載置面４２の外周部分において前記図７と同様な円弧溝状の保水用凹部４４が形成されている。
【００８１】
さらに、図３〜１２に示されたリテーナプレート１８では、レンズ載置面４２の外周部分に保水用凹部４４が形成されていたが、外周部分に代えて又は加えて中央部分や径方向中間部分に保水用凹部４４を形成することも可能である。
【００８２】
具体的には、例えば図１１（ｄ）や図１２（ｄ）に示されているように、中央貫通孔５０を形成しない態様において、レンズ載置面４２の中央部分に保水用凹部４４を形成しても良い。或いは、図１３，１４に示されているように、レンズ載置面４２の径方向中間部分を周方向に延びる円環溝状の保水用凹部４４（図１３）や、円弧溝状の保水用凹部４４（図１４）などを採用することも可能である。
【００８３】
因みに、前述の如き実施形態のコンタクトレンズパッケージ１０において、ユーザー毎の取り扱い手順などの相違に起因して発生する開封から装用までに要する時間の相違に拘わらず良好な装用感やハンドリング性能が安定して発揮されるといった技術的効果が発揮されることについて、その根拠をより明らかにする目的で、以下に示す第一及び第二の実験を行った。
【００８４】
［第一の実験］
第一の実験として、開封後のコンタクトレンズにおける保水量の確保（乾燥の抑制）を確認する実験を行った。
【００８５】
すなわち、実施例１として、図３（ａ），（ｂ）に示す構造のリテーナプレート１８を採用し、大気中にて膨潤状態のコンタクトレンズを載置せしめて、レンズ重量（含水量）の時間経過を３０秒ごとに測定した。また、実施例２として、図６（ａ），（ｂ）に示す構造のリテーナプレート１８を採用し、実施例１と同一条件下で、レンズ重量（含水量）の時間経過を測定した。なお、比較例として、実施例１のリテーナプレート１８において、レンズ載置面４２の中央から最外周部分に至る全体に亘って周辺貫通孔５２を形成することで実質的に保水用凹部を消失せしめたものを採用し、実施例１，２と同一条件下で、レンズ重量（含水量）の時間経過を測定した。
【００８６】
実施例１，実施例２の測定結果を、比較例と併せて、図１５に示す。図１５の測定結果から、本発明に従う保水用凹部４４を備えたリテーナプレート１８では、大気中に開放された開封状態と略同じ環境下において、保水用凹部４４を有しない比較例に比し、コンタクトレンズの保水量が長い時間に亘って効果的に維持され得ることがわかる。
【００８７】
また、実施例１と実施例２の測定結果の比較から、保水用凹部４４の容積（保水量）を多く確保した方が、コンタクトレンズの保水量の維持には、より有効であると考えられる。
【００８８】
［第二の実験］
第二の実験として、含水性のソフトタイプのコンタクトレンズについて、含水量の変化とコンタクトレンズの形状変化との関係を確認する実験を行った。
【００８９】
すなわち、含水性のソフトコンタクトレンズとしてメニコン株式会社製のメニコン１ＤＡＹ  フラットパック（商品名）を用い、膨潤状態にあるレンズの表面の水分を拭き取ってから、凹状のレンズ内面を上に向けて、円形の支持面上にレンズ中央の略１／３の領域だけが接触する状態で載置した後、上方から所定量の生理食塩水をレンズ内面に滴下し、大気中での保水量の低下に伴うレンズ直径（ＤＩＡ）の変化を３０秒ごとに測定した。
【００９０】
レンズ内面に滴下する生理食塩水の量を０〜０．２０ｇの範囲で異ならせた６種類について、他の条件を同一にして測定した結果を、図１６に示す。図１６の測定結果から、初期に与えられる水分量が多いほど、時間経過に伴うレンズ形状変化（ＤＩＡ変化）の量が抑えられることが判る。また、初期に水分量が与えられていても少ない場合（具体的には０．０８ｇ以下の場合）には、初期に滴下水分が与えられていない場合（０ｇの場合）と殆ど変わらず、開封後早い時間でレンズ形状変化が発生してしまうことが認められる。
【００９１】
従って、第二の実験の結果から、コンタクトレンズを押圧変形状態で少ない保存液と共に収納したコンタクトレンズパッケージでは、パッケージ開封から装用に至るまでの間で、コンタクトレンズの変形などを抑えて良好な装用感やハンドリング性能を確保するために、開封時においてコンタクトレンズを含水状態に保つ保存液量を確保することが有効であると確認できた。そして、第一の実験の結果から、コンタクトレンズを押圧変形状態で少ない保存液と共に収納したコンタクトレンズパッケージにおいて、開封時においてコンタクトレンズを含水状態に保つ保存液量を確保するには、リテーナプレート１８に保水用凹部４４を設けた本発明構造が有意義であることを確認することができた。
【００９２】
以上、本発明の実施形態について詳述してきたが、本発明はかかる実施形態における具体的な記載によって限定的に解釈されるものでない。例えば、リテーナプレート１８のレンズ載置面４２は、前記実施形態のように外周部分から中央に向かって次第に上方に突出するテーパ面とされている必要はなく、略平坦なレンズ載置面４２を採用することも可能であり、平坦なレンズ載置面４２に開口する凹所形態をもって保水用凹部が形成され得る。
【００９３】
また、リテーナプレート１８は、裏側の外装シート２４に対して部分的に固着されていても良いし、厚肉とされた外周突部４８の裏面が全体に亘って外装シート２４に重ね合わされて固着されていても良い。外周突部４８の裏面を全体に亘って外装シート２４に固着することで、リテーナプレート１８のレンズ載置面４２から貫通孔５０，５２を通じて下方に流下した保存液が外装シート２４の外部へ漏れ落ちてしまうことを防止することもできるし、また、リテーナプレート１８の外周端縁が薄いエッジ状となっていても、外装シート２４から浮き上がって不用意に傷つけてしまうことなども回避され得る。
【００９４】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００９５】
１０：コンタクトレンズパッケージ、１２：コンタクトレンズ、１４：パッケージ外装体、１６：密閉領域、１８：リテーナプレート、２０：保存液、２２：外装シート（表側）、２４：外装シート（裏側）、２６：封止部、４２：レンズ載置面、４４：保水用凹部、４６：凹状の内面（レンズ）、４８：外周突部、５０：中央貫通孔、５２：周辺貫通孔
【図１】
2016179837.tif 000003
【図２】
2016179837.tif 000004
【図３】
2016179837.tif 000005
【図４】
2016179837.tif 000006
【図５】
2016179837.tif 000007
【図６】
2016179837.tif 000008
【図７】
2016179837.tif 000009
【図８】
2016179837.tif 000010
【図９】
2016179837.tif 000011
【図１０】
2016179837.tif 000012
【図１１】
2016179837.tif 000013
【図１２】
2016179837.tif 000014
【図１３】
2016179837.tif 000015
【図１４】
2016179837.tif 000016
【図１５】
2016179837.tif 000017
【図１６】
2016179837.tif 000018